【手続補正書】
【提出日】平成18年8月1日(2006.8.1)
【手続補正１】
【補正対象書類名】明細書
【補正対象項目名】特許請求の範囲
【補正方法】変更
【補正の内容】
【特許請求の範囲】
【請求項１】  映像エンコーダ（２２，２２’）によるデジタル映像信号のエンコーディングを制御する方法において、映像エンコーダ（２２，２２’）によりデジタル映像信号をエンコードし、そして第1の無線通信装置（１０，１２）により無線周波数通信信号によって第２の無線通信装置へ送信し、前記の無線周波数通信信号は前記の第２の無線通信装置（１０，１２）で受信されることを特徴とする方法。
【請求項２】  映像エンコーダ（２２，２２’）によるデジタル映像信号のエンコーディングを制御する方法であって、映像エンコーダ（２２，２２’）によりデジタル映像信号をエンコードし、そして第1の無線通信装置（１０，１２）により無線周波数通信信号によって第２の無線通信装置へ送信し、前記の無線周波数通信信号は前記の第２の無線通信装置（１０，１２）で受信されるようにした方法において、
前記の第２の無線通信装置（１０，１２）で受信された無線周波数通信信号の特性を示している少なくとも一つのパラメーターを監視し、
この少なくとも一つのパラメーターに応答して、映像エンコーダ（２２，２２’）の少なくとも一つのエンコーディングパラメーターを制御するフイードバック信号を形成し、
前記の第1の無線通信装置（１０，１２）からの前記のフイードバック信号を前記の第1の無線通信装置（１０，１２）へ送信し、
前記のフイードバック信号を前記の第1の無線通信装置（１０，１２）で受信し、そして
前記の第1の無線通信装置（１０，１２）で受信した前記のフイードバック信号を前記の映像エンコーダ（２２，２２’）に与えて前記のデジタル映像信号のエンコーディングを制御する
ことを特徴とする方法。
【請求項３】  前記の第２の無線通信装置で監視している無線周波数通信信号の特性を示している前記の少なくとも一つのパラメーターが受信信号品質（ＲＸＱＵＡＬ）の測度である請求項２に記載の方法。
【請求項４】  前記の第２の無線通信装置で監視している無線周波数通信信号の特性を示している前記の少なくとも一つのパラメーターが受信信号強度（ＲＸＬＥＶ）の測度である請求項２もしくは３に記載の方法。
【請求項５】  映像エンコーダ（２２，２２’）が前記の第1の無線通信装置（１０，１２）から遠い請求項２，３もしくは４に記載の方法。
【請求項６】  映像エンコーダ（２２，２２’）が前記の第1の無線通信装置（１０，１２）内に位置する請求項２，３もしくは４に記載の方法。
【請求項７】  映像エンコーダ（２２，２２’）が前記の第1の無線通信装置（１０，１２）に関連のパソコン内に位置する請求項５に記載の方法。
【請求項８】  映像エンコーダ（２２，２２’）が第３の無線通信装置（１０，１２）に関連して位置しており、前記の第1の無線通信装置が無線通信ネットワークであり、そして前記の第２の無線通信装置と前記の第３の無線通信装置とが、ポータブル無線通信装置とパソコンと関連使用の無線カードとを含むグループから選択される請求項２ないし５のいずれかに記載の方法。
【請求項９】  前記のデジタル映像信号は前記の映像エンコーダ（２２，２２’）によりエンコードされ、前記の第３の無線通信装置（１０，１２）から前記の第1の無線通信装置（１０，１２）へ無線通信周波数信号として送信され、さらに前記の第1の無線通信装置（１０，１２）から前記の第２の無線通信装置（１０，１２）へ送信される請求項８に記載の方法。
【請求項１０】  前記の第２の無線通信装置（１０，１２）から前記の第1の無線通信装置（１０，１２）へ送信された前記の少なくとも一つの監視されたパラメーターに応答する前記のフイードバック信号はさらに、前記の第1の無線通信装置（１０，１２）から前記の第３の無線通信装置（１０，１２）へ送信される請求項９に記載の方法。
【請求項１１】  前記の第２の無線通信装置（１０，１２）から前記の第1の無線通信装置（１０，１２）へ送信され、そしてさらに前記の第１の無線通信装置（１０，１２）から前記の第３の無線通信装置（１０，１２）へ送信された前記のフイードバック信号の送信はエンドツーエンド制御プロトコールにより行われる請求項１０に記載の方法。
【請求項１２】  前記のエンドツーエンド制御プロトコールはＨ．２４５制御プロトコールである請求項１１に記載の方法。
【請求項１３】  前記の第１の無線通信装置が、ポータブル無線通信装置とパソコンと関連使用の無線カードとを含むグループから選択され、そして前記の第２の無線通信装置が無線通信ネットワークである請求項２ないし７のいずれかに記載の方法。
【請求項１４】  前記の第１の無線通信装置（１０，１２）が無線通信ネットワークであり、そして前記の第２の無線通信装置（１０，１２）が、ポータブル無線通信装置とパソコンと関連使用の無線カードとを含むグループから選択される請求項２ないし７のいずれかに記載の方法。
【請求項１５】  前記の映像エンコーダ（２２，２２’）の前記の少なくとも一つのエンコードパラメーターがエンコードされた映像データーにおけるイントラ・リフレッシデータの周波数を制御する先行請求項のいずれかに記載の方法。
【請求項１６】  前記の映像エンコーダ（２２，２２’）の前記の少なくとも１つのエンコードパラメータは、スタートコードの周波数を制御する先行請求項のいずれかに記載の方法。
【請求項１７】  映像エンコーダ（２２，２２’）によるデジタル映像信号のエンコーディングを制御する装置（２６）であって、映像エンコーダ（２２，２２’）により前記のデジタル映像信号をエンコードし、そして第1の無線通信装置（１０，１２）により無線周波数通信信号によって第２の無線通信装置（１０，１２）へ送信し、前記の無線周波数通信信号は前記の第２の無線通信装置（１０，１２）で受信されるようにした装置において、
前記の装置（２６）は前記の第２の無線通信装置（１０，１２）内にあり、そして、
前記の第２の無線通信装置（１０，１２）で受信された無線周波数通信信号の特性を示している少なくとも一つのパラメーターを監視する手段（２４）、
この少なくとも一つの監視されたパラメーターに応答して、映像エンコーダ（２２，２２’）の少なくとも一つのエンコードパラメーターを制御するフイードバック信号を形成する手段（２８，３０，３２）
を備えたことを特徴とする装置（２６）。
【請求項１８】  無線周波数通信信号の特性を示すパラメータとして前記の第２の無線通信装置（１０，１２）で受信された無線周波数通信信号の信号品質（ＲＸＱＵＡＬ）を測定する手段（２４）を備えている請求項１７に記載の装置。
【請求項１９】  無線周波数通信信号の特性を示すパラメータとして前記の第２の無線通信装置（１０，１２）で受信された無線周波数通信信号の信号品質（ＲＸＱＵＡＬ）を測定する手段（２４）を備えている請求項１７もしくは１８に記載の装置。
【請求項２０】  映像エンコーダ（２２，２２’）によるデジタル映像信号のエンコーディングを制御するシステム（１０、１２、２４、２６、２８、３０、３２）であって、映像エンコーダ（２２，２２’）により前記のデジタル映像信号をエンコードし、そして第1の無線通信装置（１０，１２）により無線周波数通信信号によって第２の無線通信装置（１０，１２）へ送信し、前記の無線周波数通信信号は前記の第２の無線通信装置（１０，１２）で受信されるようにしたシステムにおいて、
このシステム（１０、１２、２４、２６、２８、３０、３２）は
前記の第２の無線通信装置（１０，１２）で受信された無線周波数通信信号の特性を示している少なくとも一つのパラメーターを監視する手段（２４）、
この少なくとも一つの監視されたパラメーターに応答して、映像エンコーダ（２２，２２’）の少なくとも一つのエンコードパラメーターを制御するフイードバック信号を形成する手段（２８，３０，３２）、
前記の第２の無線通信装置（１０，１２）から前記の第１の無線通信装置（１０，１２）へ前記のフイードバック信号を送信する手段（２０、ＢＳＳ）、
前記の第１の無線通信装置（１０，１２）で前記のフイードバック信号を受信する手段（１６、ＢＳＳ）、そして
前記の第１の無線通信装置で受信した前記のフイードバック信号を前記の映像エンコーダ（２２，２２’）へ与えて前記のデジタル映像信号のエンコーディングを制御する手段
を備えたことを特徴とするシステム（１０、１２、２４、２６、２８、３０、３２）。
【請求項２１】  無線周波数通信信号の特性を示すパラメータとして前記の第２の無線通信装置（１０，１２）で受信された無線周波数通信信号の信号品質（ＲＸＱＵＡＬ）を測定する手段（２４）を備えている請求項２０に記載のシステム（１０、１２、２４、２６、２８、３０、３２）。
【請求項２２】  無線周波数通信信号の特性を示すパラメータとして前記の第２の無線通信装置（１０，１２）で受信された無線周波数通信信号の信号品質（ＲＸＱＵＡＬ）を測定する手段（２４）を備えている請求項２０もしくは２１に記載のシステム（１０、１２、２４、２６、２８、３０、３２）。
【請求項２３】  映像エンコーダ（２２，２２’）が前記の第1の無線通信装置（１０，１２）から遠い請求項２０，２１もしくは２２に記載のシステム（１０、１２、２４、２６、２８、３０、３２）。
【請求項２４】  映像エンコーダ（２２，２２’）が前記の第1の無線通信装置（１０，１２）内に位置する請求項２０，２１もしくは２２に記載のシステム（１０、１２、２４、２６、２８、３０、３２）。
【請求項２５】  映像エンコーダ（２２，２２’）が前記の第1の無線通信装置（１０，１２）に関連したパソコン内に位置する請求項２３に記載のシステム（１０、１２、２４、２６、２８、３０、３２）。
【請求項２６】  第３の無線通信装置（１０，１２）を更に備え、前記の映像エンコーダ（２２，２２’）が前記の第３の無線通信装置（１０，１２）と関連して位置しており、前記の第１の無線通信装置（１０，１２）は無線通信ネットワークであり、そして前記の第２の無線通信装置（１０，１２）と前記の第３の無線通信装置（１０，１２）とが、ポータブル無線通信装置とパソコンと関連使用の無線カードとを含むグループから選択される請求項２０ないし２３のいずれかに記載のシステム（１０、１２、２４、２６、２８、３０、３２）。
【請求項２７】  前記の第３の無線通信装置（１０，１２）が、無線周波数信号として前記の映像エンコーダ（２２，２２’）によりエンコードされたデジタル映像信号を前記の第１の無線通信装置（１０，１２）へ送信する手段（２９）を備え、そして前記の第１の無線通信装置（１０，１２）が、無線周波数信号として前記の映像エンコーダ（２２，２２’）によりエンコードされたデジタル映像信号を前記の第２の無線通信装置（１０，１２）へ送信する手段（ＢＳＳ）を備えている請求項２６に記載のシステム（１０、１２、２４、２６、２８、３０、３２）。
【請求項２８】  前記の第１の無線通信装置（１０，１２）が、前記の第２の無線通信装置（１０，１２）から送信された前記の少なくとも一つの監視されたパラメーターに応答して前記のフイードバック信号を前記の第１の無線通信装置（１０，１２）へ送信し、更に前記の第１の無線通信装置（１０，１２）から前記の第３の無線通信装置（１０，１２）へ送信する手段（２０、ＢＳＳ）を備える請求項２７に記載のシステム（１０、１２、２４、２６、２８、３０、３２）。
【請求項２９】  前記の少なくとも一つの監視されたパラメーターに応答しての、前記の第２の無線通信装置（１０，１２）から前記の第1の無線通信装置（１０，１２）へ、そして前記の第1の無線通信装置（１０，１２）から前記の第３の無線通信装置（１０，１２）への前記のフイードバック信号の送信はエンドツーエンド制御プロトコールにより行われる請求項２８に記載のシステム（１０、１２、２４、２６、２８、３０、３２）。
【請求項３０】  前記のエンドツーエンド制御プロトコールはＨ．２４５制御プロトコールである請求項２９に記載のシステム（１０、１２、２４、２６、２８、３０、３２）。
【請求項３１】  第１の無線通信装置（１０，１２）は、ポータブル無線通信装置とパソコンと関連使用の無線カードとを含むグループから選択され、そして第２の無線通信装置（１０、１２）は無線通信ネットワークである請求項２０ないし２５のいずれかに記載のシステム（１０、１２、２４、２６、２８、３０、３２）。
【請求項３２】  第１の無線通信装置（１０、１２）は無線通信ネットワークであり、そして第２の無線通信装置（１０，１２）は、ポータブル無線通信装置とパソコンと関連使用の無線カードとを含むグループから選択される請求項２０ないし２５のいずれかに記載のシステム（１０、１２、２４、２６、２８、３０、３２）。
【請求項３３】  映像エンコーダ（２２，２２’）の前記の少なくとも一つのエンコーディングパラメーターがエンコードされた映像信号におけるイントラ・リフレッシュデータの周波数を制御するようになっている請求項２０ないし３２のいずれかに記載のシステム（１０、１２、２４、２６、２８、３０、３２）。
【請求項３４】  映像エンコーダ（２２，２２’）の前記の少なくとも一つのエンコーディングパラメーターがエンコードされた映像信号におけるスタートコードの周波数を制御するようになっている請求項２０ないし３３のいずれかに記載のシステム（１０、１２、２４、２６、２８、３０、３２）。
【請求項３５】  デジタル映像信号のエンコーディングを制御する方法であって、デジタル映像信号が映像エンコーダ（２２，２２’）によりエンコードされ、そして第１の無線通信装置（１０、１２）により無線周波数通信信号によって送信され、この無線周波数通信信号は第２の無線通信装置（１０、１２）により受信されるようにした方法において、
第１の無線通信装置（１０、１２）から送信された無線周波数通信信号の特性を示す少なくとも一つのパラメーターを監視し、
この監視された少なくとも一つのパラメーターに応答して、映像エンコーダ（２２，２２’）の少なくとも一つのエンコーディングパラメーターを制御するフイードバック信号を形成し、
このフイードバック信号を前記の映像エンコーダ（２２，２２’）へ与えて前記のデジタルビデオ信号のエンコーディングを制御する
ことを特徴とする方法。
【請求項３６】  第１の無線通信装置（１０、１２）から送信された無線周波数通信信号の特性を示す前記の少なくとも一つのパラメーターが送信信号電力の測度である請求項３５に記載の方法。
【請求項３７】  第１の無線通信装置（１０、１２）から送信された無線周波数通信信号の特性を示す前記の少なくとも一つのパラメーターが前記の第１の無線通信装置（１０、１２）で受信された電力制御指令（ＴＸＰＷＲ）である請求項３５もしくは３６に記載の方法。
【請求項３８】  映像エンコーダ（２２，２２’）は第１の無線通信装置（１０、１２）から遠い請求項３５，３６もしくは３７に記載の方法。
【請求項３９】  映像エンコーダ（２２，２２’）は前記の第１の無線通信装置（１０、１２）と関連のパソコン内にある請求項３８に記載の方法。
【請求項４０】  映像エンコーダ（２２，２２’）は前記の第１の無線通信装置（１０、１２）内にある請求項３５，３６もしくは３７に記載の方法。
【請求項４１】  第１の無線通信装置（１０、１２）が、ポータブル無線通信装置とパソコンと関連使用の無線カードとを含むグループから選択され、そして第２の無線通信装置（１０、１２）が無線通信ネットワークである請求項３５ないし４０のいずれかに記載の方法。
【請求項４２】  第１の無線通信装置（１０、１２）が無線通信ネットワークであり、そして第２の無線通信装置（１０、１２）がポータブル無線通信装置とパソコンと関連使用の無線カードとを含むグループから選択される請求項３５ないし４０のいずれかに記載の方法。
【請求項４３】  映像エンコーダ（２２，２２’）の前記の少なくとも一つのエンコーディングパラメーターがエンコードされた映像データーにおけるイントラ・リフレッシュデーターの周波数を制御する請求項３５ないし４２に記載の方法。
【請求項４４】  映像エンコーダ（２２，２２’）の前記の少なくとも一つのエンコーディングパラメーターがエンコードされた映像データーにおけるスタートコードの周波数を制御する請求項３５ないし４３に記載の方法。
【請求項４５】  デジタル映像信号のエンコーディングを制御する装置（２６）であって、デジタル映像信号が映像エンコーダ（２２，２２’）によりエンコードされ、そして第１の無線通信装置（１０、１２）により無線周波数通信信号によって送信され、この無線周波数通信信号は第２の無線通信装置（１０、１２）により受信されるようにした装置（２６）において、
第１の無線通信装置（１０、１２）から送信された無線周波数通信信号の特性を示す少なくとも一つのパラメーターを監視する手段（２４）そして、
この監視された少なくとも一つのパラメーターに応答して、映像エンコーダ（２２，２２’）の少なくとも一つのエンコーディングパラメーターを制御するフイードバック信号を形成する手段（２８，３０，３２）
ことを特徴とする装置（２６）。
【請求項４６】  第１の無線通信装置（１０、１２）から送信された無線周波数通信信号の特性を示す少なくとも一つのパラメーターを監視する手段（２４）は、前記の無線周波数通信信号の送信電力（ＴＸＰＷＲ）を測定する手段を備える請求項４５に記載の装置（２６）。
【請求項４７】  第１の無線通信装置（１０、１２）から送信された無線周波数通信信号の特性を示す少なくとも一つのパラメーターを監視する手段（２４）は、前記の第１の無線通信装置（１０、１２）で受信された電力制御指令（ＴＸＰＷＲ）に応答する手段を含む請求項４５に記載の装置（２６）。
【請求項４８】  デジタル映像信号のエンコーディングを制御するシステム（１０、１２、２４、２６、２８、３０、３２）であって、デジタル映像信号が映像エンコーダ（２２，２２’）によりエンコードされ、そして第１の無線通信装置（１０、１２）により無線周波数通信信号によって送信され、この無線周波数通信信号は第２の無線通信装置（１０、１２）により受信されるようにしたシステム（１０、１２、２４、２６、２８、３０、３２）において、
第１の無線通信装置（１０、１２）から送信された無線周波数通信信号の特性を示す少なくとも一つのパラメーターを監視する手段（２４）、
無線周波数信号の特性を示す前記の少なくとも一つの監視されたパラメーターに応答して、映像エンコーダ（２２，２２’）の少なくとも一つのエンコーディングパラメーターを制御するためのフイードバック信号を形成する手段（２６，２８，３０，３２）、そして
このフイードバック信号を前記の映像エンコーダ（２２，２２’）へ与えて前記のデジタルビデオ信号のエンコーディングを制御する手段
を備えたことを特徴とするシステム（１０、１２、２４、２６、２８、３０、３２）。
【請求項４９】  第１の無線通信装置（１０、１２）から送信された無線周波数通信信号の特性を示す少なくとも一つのパラメーターを監視する手段（２４）が前記の無線周波数通信信号の送信電力（ＴＸＰＷＲ）を測定する手段を含む請求項４８に記載のシステム（１０、１２、２４、２６、２８、３０、３２）。
【請求項５０】  第１の無線通信装置（１０、１２）から送信された無線周波数通信信号の特性を示す少なくとも一つのパラメーターを監視する手段（２４）が前記の第１の無線通信装置（１０、１２）で受信された電力制御指令（ＴＸＰＷＲ）に応答する手段を含む請求項４８もしくは４９に記載のシステム（１０、１２、２４、２６、２８、３０、３２）。
【請求項５１】  第１の無線通信装置（１０、１２）がポータブル無線通信装置とパソコンと関連使用の無線カードとを含むグループから選択され、そして第２の無線通信装置（１０、１２）が無線通信ネットワークである請求項４８，４９もしくは５０に記載のシステム（１０、１２、２４、２６、２８、３０、３２）。
【請求項５２】  映像エンコーダ（２２，２２’）の前記の少なくとも一つのエンコーディングパラメーターはエンコードされた映像信号におけるイントラ・リフレッシュデーターの周波数を制御するようになっている請求項４８ないし５１のいずれかに記載のシステム（１０、１２、２４、２６、２８、３０、３２）。
【請求項５３】  映像エンコーダ（２２，２２’）の前記の少なくとも一つのエンコーディングパラメーターはエンコードされた映像信号におけるスタートコードの周波数を制御するようになっている請求項４８ないし５２のいずれかに記載のシステム（１０、１２、２４、２６、２８、３０、３２）。
【請求項５４】  デジタル映像信号のエンコーディングを制御する制御手段を備える移動端末であって、デジタル映像信号は映像エンコーダ（２２，２２’）によりエンコードされ、そして第２の無線通信装置（１０、１２）により無線周波数通信信号として前記の移動端末に送信され、この無線周波数通信信号は前記の移動端末で受信されるようにした移動端末において、
この移動端末で受信された無線周波数通信信号の特性を示す少なくとも一つのパラメーターを監視する手段（２４）、
前記の少なくとも一つの監視されたパラメーターに応答して、映像エンコーダ（２２，２２’）の少なくとも一つのエンコーディングパラメーターを制御するための信号を形成する手段（２８，３０，３２）
を備えたことを特徴とする移動端末。
【請求項５５】  制御手段（２４）が、無線周波数通信信号の特性を示すパラメーターとして移動端子で受信した無線周波数通信信号の信号品質（ＲＸＱＵＡＬ）を測定する手段を含む請求項５４に記載の移動端末。
【請求項５６】  制御手段が、無線周波数通信信号の特性を示すパラメーターとして移動端子で受信した無線周波数通信信号の信号強度（ＲＸＬＥＶ）を測定する手段を含む請求項５４もしくは５５に記載の移動端末。
【請求項５７】  デジタル映像信号のエンコーディングを制御する制御手段を備える移動端末であって、デジタル映像信号は映像エンコーダ（２２，２２’）によりエンコードされ、そして前記の移動端末により無線周波数通信信号として送信され、この無線周波数通信信号は前記の第２の無線通信装置により受信されるようにした移動端末において、
この移動端末から送信された無線周波数通信信号の特性を示す少なくとも一つのパラメーターを監視する手段（２４）、そして
前記の少なくとも一つの監視されたパラメーターに応答して、映像エンコーダ（２２，２２’）の少なくとも一つのエンコーディングパラメーターを制御するためのフイードバック信号を形成する手段（２８，３０，３２）
を備えたことを特徴とする移動端末。
【請求項５８】  移動端末から送信された無線周波数通信信号の特性を示す少なくとも一つのパラメーターを監視する手段（２４）が、前記の無線周波数通信信号の送信電力（ＴＸＰＷＲ）を測定する手段を含む請求項５７に記載の移動端末。
【請求項５９】  移動端末から送信された無線周波数通信信号の特性を示す少なくとも一つのパラメーターを監視する手段（２４）が、前記の移動端子で受信した電力制御指令（ＴＸＰＷＲ）に応答する手段を含む請求項５７もしくは５８に記載の移動端末。
【請求項６０】  エンコーディング手続きに従って作動して、第１の無線通信装置（１０，１２）により無線通信信号によって第２の無線通信装置（１０，１２）へ送信するためのエンコードされた映像データーをつくるエンコーダー手段を備えるデジタル映像エンコーダー（２２、２２’）において、
前記のエンコーダー手段は、無線周波数通信信号の特性を示す少なくとも一つの監視されたパラメーターに基づくフイードバック信号に応答して、映像データーをエンコードするためデジタル映像エンコーダーが使用するエンコーディング手続きを制御することを特徴とするデジタル映像エンコーダー（２２、２２’）。